(57)【要約】      （修正有）【課題】重量物をわずかな力で水平に持ち上げ移動台車に載せ、移動後に下す一連の作業を安全かつ容易に可能とする移動台車一体型ハンドリフターを提供する。【解決手段】本体１の底部に設けられた複数の車輪５、６と、この本体１の引込みバネ１３を介し回動自在に設けられた変形Ｌ型持ち手９とこの変形Ｌ型持ち手９の可動端部に設けられたすくい板４と、変形Ｌ型持ち手９の回動に伴い前後方向に進退する移動台車７と移動台車７の先端部の下部に設けられた移動車輪８と、変形Ｌ型持ち手９の回動に伴い一定範囲で連携し上下動するラッチ作動杆１０と移動台車７の前後位置を制御するラッチ機構１２とで移動台車一体型ハンドリフターを構成している。【選択図】図２
0003210305.tif 000002
【実用新案登録請求の範囲】
【請求項１】
本体（１）とこの本体（１）の底部に設けられた複数の車輪（５）（６）と、この本体（１）の引込みバネ（１３）を介して回動自在に設けられた変形Ｌ型持ち手（９）とこの可動端部に設けられたすくい板（４）と、変形Ｌ型持ち手（９）の回動に伴い前後方向に進退する移動台車（７）とこの移動台車（７）の先端部の下部に設けられた移動車輪（８）と、変形Ｌ型持ち手（９）の回動に伴い一定範囲で連携し上下動するラッチ作動杆（１０）と移動台車（７）の前後位置を制御するラッチ機構（１２）を備えていることを特徴とする移動台車一体型ハンドリフター。
【請求項２】
本体前端部には左右一対に立設するリフトタワー（２）を設けリフト溝（３）に沿って水平昇降自在なすくい板（４）を本体前面に備えた事を特徴とする請求項１に記載の移動台車一体型ハンドリフター。
【考案の詳細な説明】
【技術分野】
【０００１】  本考案は、本体内に移動台車を有する事で重量物をすくい板にてテコの原理で持上げると同時に本体内の移動台車をすくい板の下部に押し出し、すくい板及び重量物を移動台車に載せ、移動後に下すまでを持ち手操作のみで可能とする移動台車一体型ハンドリフターに関するものである。
【背景技術】
【０００２】  従来のハイパーリフターは下記特許文献に記載されている様に重量物をリフターで持ち上げて台車を差し込み載せ移動後再びハイパーリフターを用いて重量物を下す事で構成されている。【０００３】  しかしながら、従来の重量物移動はリフターで持ち上げて台車を差し込み載せる為重量物が不安定になる危険も有り又持ち上げと台車差し込み両方の作業をしなければならないという欠点があった。
【先行技術文献】
【特許文献１】特開２０１０−３７０６２
【考案の概要】
【考案が解決しようとする課題】
【０００４】  本考案は、以上のような従来の欠点に鑑み本体内に移動台車を有する事により重量物を持ち上げ移動台車に載せ移動後下す迄を安全かつ容易にした移動台車一体型ハンドリフターを提供する事を目的としている。
【課題を解決するための手段】
【０００５】  上記の目的を達成するために本考案は、本体とこの本体の底部に設けられた複数の車輪とこの本体の引込みバネを介して回動自在に設けられた変形Ｌ型持ち手とこの可動端部に設けられたすくい板と、変形Ｌ型持ち手の回動に伴い前後方向に進退する移動台車とこの移動台車の先端部の下部に設けた移動車輪と、変形Ｌ型持ち手の回動に伴い一定範囲で連携し上下動するラッチ作動杆と移動台車の前後位置を制御するラッチ機構とで移動台車一体型ハンドリフターを構成している。
【考案の効果】
【０００６】  以上の説明から明らかなように、本考案にあっては次に列挙する効果が得られる。
（１）本体とこの本体の底部に設けられた複数の車輪と、この本体の引込みバネを介して回動自在に設けられた変形Ｌ型持ち手とこの可動端部に設けられたすくい板と、変形Ｌ型持ち手の回動に伴い前後方向に進退する移動台車とこの移動台車の先端部の下部に設けた移動車輪と、変形Ｌ型持ち手の回動に伴い一定範囲で連携し上下動するラッチ作動杆と移動台車の前後位置を制御するラッチ機構とで構成されているので本体の変形Ｌ型持ち手操作のみですくい板をテコの原理で重量物を持ち上げると同時に本体内の移動台車をすくい板下部に押し出し移動台車に載せ移動後下ろす一連の作業ができる為重量物の上げ下ろし及び台車による移動作業が安全かつ容易にできる。
（２）本体前端部に左右一対に立設するリフトタワーを設けリフト溝に沿って水平昇降自在なすくい板を本体前面に備えすくい板上の重量物が安定した形態で運搬できる。
【図面の簡単な説明】
【０００７】
【図１】  本考案の静止状態を示す立面図である。
【図２】  本考案の重量物を載せたすくい板が移動台車上に載った状態を示す立面図である。
【図３】  本考案を実施するための図２を上方から見た上面図である。
【考案を実施するための形態】
【０００８】  以下本発明の実施の形態を図に基づいて説明する。
【実施例１】
【０００９】  図１は、本考案装置の実施例１の断面図であって、本体（１）前端部には左右一対に立設するリフトタワー（２）を設け、このリフトタワー（２）に設けたリフト溝（３）に沿って水平昇降自在なすくい板（４）を本体前面に備え本体（１）の底部前方に設けた本体前輪（５）は直進専用車輪とし本体（１）底部後方に設けた本体後輪（６）は方向変換自在な自在車輪とし左右一対に配置する。【００１０】  移動台車（７）の先端下部に直進専用の移動車輪（８）を左右一対に取付けると共に変形Ｌ型持ち手（９）を引き下げる事でラッチ作動杆（１０）を押し下げ押し込む毎にロック及び解除が可能となるラッチ機構（１２）を設け、又移動台車（７）を引込み収納する為の引込みバネ（１３）を左右一対で本体内に配置する。【００１１】  図１に示すように本体（１）の前方内面にはフック溝（２０）を有し又移動台車（７）前方側面にフックボッチ（１９）を設け、引込みバネ（１２）により引込まれた移動台車（７）は前方側面のフックボッチ（１９）によって本体（１）のフック溝（２０）に入り込み持ち上げた状態で保持される。【００１２】  変形Ｌ型持ち手（９）は固定軸（２２）を有し可動端部は連動アーム（１４）の一端と連結ピン（２１）で連結し連動アーム（１４）他端はすくい板裏面の連結ブラケット（１５）と、連結ピン（２１）で連結しており又ラッチ作動杆（１０）は連動アーム（１１）の一端と連結ピン（２１）で連結し連動アーム（１１）の他端は固定軸（２２）を有する可動クランク（１６）の一端と、連結ピン（２１）で連結し可動クランク（１６）の他端は連動アーム（１７）の一端と、連結ピン（２１）で連結し連動アーム（１７）の他端は固定軸（２２）を有する押し出しアーム（１８）の一端と、連結ピン（２１）で連結し押し出しアーム（１８）の他端は移動台車（７）後部上の連結ブラケット（１５）と連結ピン（２１）で連結し連動機構を構成している。【００１３】  図２は、固定軸（２２）を有する変形Ｌ型持ち手（９）を引き下げる事により固定軸（２２）を支点とし回動しテコの原理ですくい板（４）にて重量物を持ち上げると共にラッチ作動杆（１０）を押し下げ連動機構により移動台車（７）を押し出し又ラッチ機構（１２）を押し込む事によりロックされ移動台車（７）後部上の連結ブラケット（１５）は固定され変形Ｌ型持ち手（９）を引き移動できる。【００１４】  更に、変形Ｌ型持ち手（９）を引き下げる事でラッチ作動杆（１０）を押し下げラッチ機構（１２）を押し込む事でロックが解除され移動台車（７）は引込みバネ（１３）により引き込まれ移動台車（７）のフックボッチ（１９）が本体（１）のフック溝（２０）に入り込み持ち上げられた状態で本体内に収納され又変形Ｌ型持ち手（９）を戻す事により重量物を下す事が出来る。【００１５】  図３は、本考案装置であって、すくい板（４）を移動台車（７）上に載せた図２の形態に於ける上面図である。
【産業上の利用可能性】
【００１６】  本考案は、本体内に移動台車及びリフトタワーを有する構造により重量物をわずかな力で水平に持ち上げ移動台車に載せ、移動後に下す一連の作業を安全かつ容易に可能とするものであり工場・配送センター・家庭で利用される。
【符号の説明】
【００１７】  １  本体
２  リフトタワー
３  リフト溝
４  すくい板
５  本体前輪
６  本体後輪
７  移動台車
８  移動車輪
９  変形Ｌ型持ち手
１０  ラッチ作動杆
１１  連動アーム
１２  ラッチ機構
１３  引込みバネ
１４  連動アーム
１５  連結ブラケット
１６  可動クランク
１７  連動アーム
１８  押し出しアーム
１９  フックボッチ
２０  フック溝
２１  連結ピン
２２  固定軸
【図１】
0003210305.tif 000003
【図２】
0003210305.tif 000004
【図３】
0003210305.tif 000005